【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
無線通信を行う送信機および受信機から構成される無線通信システムであって、
前記送信機は、
送信ブロック内の複数のサブキャリアのうち１つのサブキャリアにパイロット信号を配置し、当該パイロット信号を配置したサブキャリアの低周波数側に位置する所定の数のサブキャリアおよび高周波数側に位置する所定の数のサブキャリアをｎｕｌｌとするパイロット多重手段と、
前記パイロット多重手段からの出力信号に対して位相回転系列を乗算し、帯域内で拡散された信号に変換する位相回転系列手段と、
前記位相回転系列手段から出力された信号を前記受信機へ送信する送信手段と、
を備え、
前記受信機は、
前記送信機から送信された信号を受信する受信手段と、
受信信号に対して位相逆回転系列を乗算して、拡散信号から周波数毎のサブキャリアに変換し、変換した周波数毎のサブキャリアの信号から、前記パイロット信号が配置されたサブキャリア位置の信号と、前記サブキャリア位置の信号から前記所定の数の遅延波の信号とを、パイロット信号の応答として抽出するパイロット抽出手段と、
抽出したパイロット信号の応答を用いて前記送信機との間の伝搬路を推定する伝搬路推定手段と、
を備えることを特徴とする無線通信システム。
【請求項２】
前記伝搬路推定手段は、前記送信機との間で既知である送信信号のパイロット成分をＤＦＴした信号と、前記抽出したパイロット信号の応答を拡散した信号と、に基づいて伝搬路を推定する、
ことを特徴とする請求項１に記載の無線通信システム。
【請求項３】
無線通信を行う送信機および受信機から構成される無線通信システムであって、
前記送信機は、
送信ブロック内のＮ個のサブキャリアのうちのＡ個（Ｎ、Ａは自然数であって、ＡはＮより小さい２以上の自然数）のサブキャリアにパイロット信号を配置し、パイロット信号が配置されたサブキャリアの間のサブキャリア、パイロット信号が配置されたサブキャリアのうち最も低い周波数のサブキャリアの低周波数側の所定の数のサブキャリア、およびパイロット信号が配置されたサブキャリアのうち最も高い周波数のサブキャリアの高周波数側の所定の数のサブキャリア、をｎｕｌｌとするパイロット多重手段と、
前記パイロット多重手段からの出力信号に対して位相回転系列を乗算し、帯域内で拡散された信号に変換する位相回転系列手段と、
前記位相回転系列手段から出力された信号を前記受信機へ送信する送信手段と、
を備え、
前記受信機は、
前記送信機から送信された信号を受信する受信手段と、
受信信号に対して位相逆回転系列を乗算して、拡散信号から周波数毎のサブキャリアに変換し、変換した周波数毎のサブキャリアの信号から、前記パイロット信号が配置されたサブキャリア位置の信号と、前記サブキャリア位置の信号から前記所定の数の遅延波の信号とを、前記各Ａ個のパイロット信号のそれぞれについて、パイロット信号の応答として抽出するパイロット抽出手段と、
抽出したＡ個のパイロット信号の応答を用いて前記送信機との間の伝搬路を推定する伝搬路推定手段と、
を備えることを特徴とする無線通信システム。
【請求項４】
前記伝搬路推定手段は、前記送信機との間で既知である送信信号のパイロット成分をＤＦＴした信号と、前記抽出したパイロット信号の応答を拡散した信号と、に基づいてパイロット信号ごとに求めた伝搬路推定値を平均して伝搬路を推定する、
ことを特徴とする請求項３に記載の無線通信システム。
【請求項５】
前記所定の数を、想定される最大遅延シンボル数に基づいて規定する、
ことを特徴とする請求項１〜４のいずれか１つに記載の無線通信システム。
【請求項６】
前記所定の数を、前記送信ブロックに付加するＣＰ（Cyclic  Prefix）長に基づいて規定する、
ことを特徴とする請求項１〜４のいずれか１つに記載の無線通信システム。
【請求項７】
前記送信手段は、
ｎｕｌｌとしたサブキャリアで使用可能な送信電力を、パイロット信号を多重したパイロットサブキャリアに付加し、当該パイロットサブキャリアの送信電力を大きくする、
ことを特徴とする請求項１〜６のいずれか１つに記載の無線通信システム。
【請求項８】
前記送信手段は、
ｎｕｌｌとしたサブキャリアで使用可能な送信電力を、前記ｎｕｌｌとしたサブキャリア以外のサブキャリアに付加し、当該ｎｕｌｌとしたサブキャリア以外のサブキャリアの送信電力を大きくする、
ことを特徴とする請求項１〜６のいずれか１つに記載の無線通信システム。
【請求項９】
前記送信機は、さらに、
送信ブロック内のサブキャリアを複数のユーザに割り当て、各ユーザに割り当てたサブキャリアの間にはｎｕｌｌとするサブキャリアを配置し、各ユーザに割り当てたサブキャリアのうちの１つをＦＳＫ信号とするデータブロック、および、パイロット信号のみを送信する送信ブロックとして、全てのサブキャリアを０とするパイロットブロック、を生成して前記パイロット多重手段へ出力する変調手段、
を備え、
前記受信機は、さらに、
前記データブロックから、ＦＳＫ信号のサブキャリアを検出して復調する復調手段、
を備えることを特徴とする請求項１〜８のいずれか１つに記載の無線通信システム。
【請求項１０】
前記送信機は、さらに、
送信ブロック内のサブキャリアを複数のユーザに割り当て、各ユーザに割り当てたサブキャリアの間にはｎｕｌｌとするサブキャリアを配置し、各ユーザに割り当てたサブキャリアのうちの１つをＰＳＫ信号とするデータブロック、および、パイロット信号のみを送信する送信ブロックとして、全てのサブキャリアを０とするパイロットブロック、を生成して前記パイロット多重手段へ出力する変調手段、
を備え、
前記受信機は、さらに、
前記データブロックから、ＰＳＫ信号のサブキャリアを検出して復調する復調手段、
を備えることを特徴とする請求項１〜８のいずれか１つに記載の無線通信システム。
【請求項１１】
前記送信機は、さらに、
送信ブロック内のサブキャリアを複数のユーザに割り当て、各ユーザに割り当てたサブキャリアの間にはｎｕｌｌとするサブキャリアを配置し、各ユーザに割り当てたサブキャリアのうちの１つをＱＡＭ信号とするデータブロック、および、パイロット信号のみを送信する送信ブロックとして、全てのサブキャリアを０とするパイロットブロック、を生成して前記パイロット多重手段へ出力する変調手段、
を備え、
前記受信機は、さらに、
前記データブロックから、ＱＡＭ信号のサブキャリアを検出して復調する復調手段、
を備えることを特徴とする請求項１〜８のいずれか１つに記載の無線通信システム。
【請求項１２】
前記変調手段は、各ユーザに割り当てたサブキャリア間にあるｎｕｌｌのサブキャリア数を、想定される最大遅延シンボル数に基づいて規定する、
ことを特徴とする請求項９、１０または１１に記載の無線通信システム。
【請求項１３】
前記変調手段は、各ユーザに割り当てたサブキャリア間にあるｎｕｌｌのサブキャリア数を、前記送信ブロックに付加するＣＰ長に基づいて規定する、
ことを特徴とする請求項９、１０または１１に記載の無線通信システム。
【請求項１４】
前記送信機は、さらに、
前記パイロット多重手段に入力される信号を、時間領域の信号から周波数領域の信号に変換するＤＦＴ手段、
を備え、
前記受信機は、さらに、
前記伝搬路推定手段から出力された信号を、周波数領域の信号から時間領域の信号に変換するＩＤＦＴ手段、
を備えることを特徴とする請求項１〜８のいずれか１つに記載の無線通信システム。
【請求項１５】
無線通信を行う送信機および受信機から構成される無線通信システムにおける前記送信機であって、
送信ブロック内の複数のサブキャリアのうち１つのサブキャリアにパイロット信号を配置し、当該パイロット信号を配置したサブキャリアの低周波数側に位置する所定の数のサブキャリアおよび高周波数側に位置する所定の数のサブキャリアをｎｕｌｌとするパイロット多重手段と、
前記パイロット多重手段からの出力信号に対して位相回転系列を乗算し、帯域内で拡散された信号に変換する位相回転系列手段と、
前記位相回転系列手段から出力された信号を前記受信機へ送信する送信手段と、
を備えることを特徴とする送信機。
【請求項１６】
無線通信を行う送信機および受信機から構成される無線通信システムにおける前記送信機であって、
送信ブロック内のＮ個のサブキャリアのうちのＡ個（Ｎ、Ａは自然数であって、ＡはＮより小さい２以上の自然数）のサブキャリアにパイロット信号を配置し、パイロット信号が配置されたサブキャリアの間のサブキャリア、パイロット信号が配置されたサブキャリアのうち最も低い周波数のサブキャリアの低周波数側の所定の数のサブキャリア、およびパイロット信号が配置されたサブキャリアのうち最も高い周波数のサブキャリアの高周波数側の所定の数のサブキャリア、をｎｕｌｌとするパイロット多重手段と、
前記パイロット多重手段からの出力信号に対して位相回転系列を乗算し、帯域内で拡散された信号に変換する位相回転系列手段と、
前記位相回転系列手段から出力された信号を前記受信機へ送信する送信手段と、
を備えることを特徴とする送信機。
【請求項１７】
前記所定の数を、想定される最大遅延シンボル数に基づいて規定する、
ことを特徴とする請求項１５または１６に記載の送信機。
【請求項１８】
前記所定の数を、前記送信ブロックに付加するＣＰ（Cyclic  Prefix）長に基づいて規定する、
ことを特徴とする請求項１５または１６に記載の送信機。
【請求項１９】
前記送信手段は、
ｎｕｌｌとしたサブキャリアで使用可能な送信電力を、パイロット信号を多重したパイロットサブキャリアに付加し、当該パイロットサブキャリアの送信電力を大きくする、
ことを特徴とする請求項１５〜１８のいずれか１つに記載の送信機。
【請求項２０】
前記送信手段は、
ｎｕｌｌとしたサブキャリアで使用可能な送信電力を、前記ｎｕｌｌとしたサブキャリア以外のサブキャリアに付加し、当該ｎｕｌｌとしたサブキャリア以外のサブキャリアの送信電力を大きくする、
ことを特徴とする請求項１５〜１８のいずれか１つに記載の送信機。
【請求項２１】
さらに、
送信ブロック内のサブキャリアを複数のユーザに割り当て、各ユーザに割り当てたサブキャリアの間にはｎｕｌｌとするサブキャリアを配置し、各ユーザに割り当てたサブキャリアのうちの１つをＦＳＫ信号とするデータブロック、および、パイロット信号のみを送信する送信ブロックとして、全てのサブキャリアを０とするパイロットブロック、を生成して前記パイロット多重手段へ出力する変調手段、
を備えることを特徴とする請求項１５〜２０のいずれか１つに記載の送信機。
【請求項２２】
さらに、
送信ブロック内のサブキャリアを複数のユーザに割り当て、各ユーザに割り当てたサブキャリアの間にはｎｕｌｌとするサブキャリアを配置し、各ユーザに割り当てたサブキャリアのうちの１つをＰＳＫ信号とするデータブロック、および、パイロット信号のみを送信する送信ブロックとして、全てのサブキャリアを０とするパイロットブロック、を生成して前記パイロット多重手段へ出力する変調手段、
を備えることを特徴とする請求項１５〜２０のいずれか１つに記載の送信機。
【請求項２３】
さらに、
送信ブロック内のサブキャリアを複数のユーザに割り当て、各ユーザに割り当てたサブキャリアの間にはｎｕｌｌとするサブキャリアを配置し、各ユーザに割り当てたサブキャリアのうちの１つをＱＡＭ信号とするデータブロック、および、パイロット信号のみを送信する送信ブロックとして、全てのサブキャリアを０とするパイロットブロック、を生成して前記パイロット多重手段へ出力する変調手段、
を備えることを特徴とする請求項１５〜２０のいずれか１つに記載の送信機。
【請求項２４】
前記変調手段は、各ユーザに割り当てたサブキャリア間にあるｎｕｌｌのサブキャリア数を、想定される最大遅延シンボル数に基づいて規定する、
ことを特徴とする請求項２１、２２または２３に記載の送信機。
【請求項２５】
前記変調手段は、各ユーザに割り当てたサブキャリア間にあるｎｕｌｌのサブキャリア数を、前記送信ブロックに付加するＣＰ長に基づいて規定する、
ことを特徴とする請求項２１、２２または２３に記載の送信機。
【請求項２６】
さらに、
前記パイロット多重手段に入力される信号を、時間領域の信号から周波数領域の信号に変換するＤＦＴ手段、
を備えることを特徴とする請求項１５〜２０のいずれか１つに記載の送信機。
【請求項２７】
無線通信を行う送信機および受信機から構成される無線通信システムにおける前記受信機であって、
前記送信機が、送信ブロック内において、複数のサブキャリアのうち１つのサブキャリアにパイロット信号を配置し、周波数方向において、当該パイロット信号を配置したサブキャリアの低周波数側に位置する所定の数のサブキャリアおよび高周波数側に位置する所定の数のサブキャリアをｎｕｌｌとしている場合に、
前記送信機から送信された信号を受信する受信手段と、
受信信号に対して位相逆回転系列を乗算して、拡散信号から周波数毎のサブキャリアに変換し、変換した周波数毎のサブキャリアの信号から、前記送信機においてパイロット信号が配置されたサブキャリア位置の信号と、前記サブキャリア位置の信号から前記所定の数の遅延波の信号とを、パイロット信号の応答として抽出するパイロット抽出手段と、
抽出したパイロット信号の応答を用いて前記送信機との間の伝搬路を推定する伝搬路推定手段と、
を備えることを特徴とする受信機。
【請求項２８】
前記伝搬路推定手段は、前記送信機との間で既知である送信信号のパイロット成分をＤＦＴした信号と、前記抽出したパイロット信号の応答を拡散した信号と、に基づいて伝搬路を推定する、
ことを特徴とする請求項２７に記載の受信機。
【請求項２９】
無線通信を行う送信機および受信機から構成される無線通信システムにおける前記受信機であって、
前記送信機が、送信ブロック内のＮ個のサブキャリアのうちのＡ個（Ｎ、Ａは自然数であって、ＡはＮより小さい２以上の自然数）のサブキャリアにパイロット信号を配置し、周波数方向において、パイロット信号が配置されたサブキャリアの間のサブキャリア、パイロット信号が配置されたサブキャリアのうち最も低い周波数のサブキャリアの低周波数側の所定の数のサブキャリア、およびパイロット信号が配置されたサブキャリアのうち最も高い周波数のサブキャリアの高周波数側の所定の数のサブキャリア、をｎｕｌｌとしている場合に、
前記送信機から送信された信号を受信する受信手段と、
受信信号に対して位相逆回転系列を乗算して、拡散信号から周波数毎のサブキャリアに変換し、変換した周波数毎のサブキャリアの信号から、前記送信機においてパイロット信号が配置されたサブキャリア位置の信号と、前記サブキャリア位置の信号から前記所定の数の遅延波の信号とを、前記各Ａ個のパイロット信号のそれぞれについて、パイロット信号の応答として抽出するパイロット抽出手段と、
抽出したＡ個のパイロット信号の応答を用いて前記送信機との間の伝搬路を推定する伝搬路推定手段と、
を備えることを特徴とする受信機。
【請求項３０】
前記伝搬路推定手段は、前記送信機との間で既知である送信信号のパイロット成分をＤＦＴした信号と、前記抽出したパイロット信号の応答を拡散した信号と、に基づいてパイロット信号ごとに求めた伝搬路推定値を平均して伝搬路を推定する、
ことを特徴とする請求項２９に記載の受信機。
【請求項３１】
前記所定の数を、想定される最大遅延シンボル数に基づいて規定する、
ことを特徴とする請求項２７〜３０のいずれか１つに記載の受信機。
【請求項３２】
前記所定の数を、前記送信ブロックに付加するＣＰ（Cyclic  Prefix）長に基づいて規定する、
ことを特徴とする請求項２７〜３０のいずれか１つに記載の受信機。
【請求項３３】
前記送信機が、送信ブロック内のサブキャリアを複数のユーザに割り当て、各ユーザに割り当てたサブキャリアの間にはｎｕｌｌとするサブキャリアを配置し、各ユーザに割り当てたサブキャリアのうちの１つをＦＳＫ信号とするデータブロックを送信する場合に、  さらに、
前記データブロックから、ＦＳＫ信号のサブキャリアを検出して復調する復調手段、
を備えることを特徴とする請求項２７〜３２のいずれか１つに記載の受信機。
【請求項３４】
前記送信機が、送信ブロック内のサブキャリアを複数のユーザに割り当て、各ユーザに割り当てたサブキャリアの間にはｎｕｌｌとするサブキャリアを配置し、各ユーザに割り当てたサブキャリアのうちの１つをＰＳＫ信号とするデータブロックを送信する場合に、
さらに、
前記データブロックから、ＰＳＫ信号のサブキャリアを検出して復調する復調手段、
を備えることを特徴とする請求項２７〜３２のいずれか１つに記載の受信機。
【請求項３５】
前記送信機が、送信ブロック内のサブキャリアを複数のユーザに割り当て、各ユーザに割り当てたサブキャリアの間にはｎｕｌｌとするサブキャリアを配置し、各ユーザに割り当てたサブキャリアのうちの１つをＱＡＭ信号とするデータブロックを送信する場合に、
さらに、
前記データブロックから、ＱＡＭ信号のサブキャリアを検出して復調する復調手段、
を備えることを特徴とする請求項２７〜３２のいずれか１つに記載の受信機。
【請求項３６】
さらに、
前記伝搬路推定手段から出力された信号を、周波数領域の信号から時間領域の信号に変換するＩＤＦＴ手段、
を備えることを特徴とする請求項２７〜３２のいずれか１つに記載の受信機。
【手続補正２】
【補正対象書類名】明細書
【補正対象項目名】０００１
【補正方法】変更
【補正の内容】
【０００１】
本発明は、伝搬路を推定する無線通信システムに関する。
【手続補正３】
【補正対象書類名】明細書
【補正対象項目名】００１０
【補正方法】変更
【補正の内容】
【００１０】
このような場合、全サブキャリアをパイロットサブキャリアとし、周波数軸方向の補間処理を行わずに全サブキャリアの伝搬路推定値を得る方法が考えられる。しかしながら、周波数軸方向の補間処理が不要となるため伝搬路推定誤差を小さくすることが可能であるが、データ信号を送信するサブキャリア数が減少するため、データ送信効率が低下する、という問題があった。
【手続補正４】
【補正対象書類名】明細書
【補正対象項目名】００１２
【補正方法】変更
【補正の内容】
【００１２】
上述した課題を解決し、目的を達成するために、本発明は、無線通信を行う送信機および受信機から構成される無線通信システムであって、前記送信機は、送信ブロック内の複数のサブキャリアのうち１つのサブキャリアにパイロット信号を配置し、当該パイロット信号を配置したサブキャリアの低周波数側に位置する所定の数のサブキャリアおよび高周波数側に位置する所定の数のサブキャリアをｎｕｌｌとするパイロット多重手段と、前記パイロット多重手段からの出力信号に対して位相回転系列を乗算し、帯域内で拡散された信号に変換する位相回転系列手段と、前記位相回転系列手段から出力された信号を前記受信機へ送信する送信手段と、を備え、前記受信機は、前記送信機から送信された信号を受信する受信手段と、受信信号に対して位相逆回転系列を乗算して、拡散信号から周波数毎のサブキャリアに変換し、変換した周波数毎のサブキャリアの信号から、前記パイロット信号が配置されたサブキャリア位置の信号と、前記サブキャリア位置の信号から前記所定の数の遅延波の信号とを、パイロット信号の応答として抽出するパイロット抽出手段と、抽出したパイロット信号の応答を用いて前記送信機との間の伝搬路を推定する伝搬路推定手段と、を備えることを特徴とする。